(57)【特許請求の範囲】
【請求項１】
局側装置に対し光伝送路を介して複数のＯＮＵ（Ｏｐｔｉｃａｌ  Ｎｅｔｗｏｒｋ  Ｕｎｉｔ）がそれぞれ接続されるＰＯＮシステムにおいて、
新たなＯＮＵの接続を検出すると、当該新規接続のＯＮＵから取得した個体番号に基づいて当該新規接続のＯＮＵを運用状態とするレンジングプロセスを実行し、さらに、運用状態となった当該新規接続のＯＮＵに対して、加入者確認のためのパスワードを問い合わせるＰＬＯＡＭメッセージを発行し、当該新規接続のＯＮＵよりパスワードメッセージとしてＰＬＯＡＭ応答メッセージを取得する手段、および
前記ＰＬＯＡＭ応答メッセージのパスワードに基づいて、前記新規接続のＯＮＵに対してサービス提供を開始するかどうかを判定し、さらに当該新規接続のＯＮＵに対応するサービス内容を特定し、特定したサービス内容に基づいて、帯域設定およびコネクション設定のうち少なくとも一方を行う手段、
を備えた局側装置と、
前記局側装置から前記ＰＬＯＡＭメッセージを受信すると、前記パスワードメッセージとしてＰＬＯＡＭ応答メッセージを返送する手段、
を備えたＯＮＵと、
を備えたことを特徴とするＰＯＮシステム。
【請求項２】
局側装置に対し光伝送路を介して複数のＯＮＵ（Ｏｐｔｉｃａｌ  Ｎｅｔｗｏｒｋ  Ｕｎｉｔ）がそれぞれ接続されるＰＯＮシステムの加入者側装置接続方法において、
前記局側装置は、新たなＯＮＵの接続を検出したとき、当該新規接続のＯＮＵについてのレンジングプロセスを実行し、さらに、当該新規接続のＯＮＵに対してパスワードを問い合わせるＰＬＯＡＭメッセージを発行し、
前記新規接続のＯＮＵは、前記局側装置からのＰＬＯＡＭメッセージを受けてパスワードを通知するＰＬＯＡＭ応答メッセージを発行し、
前記局側装置は、前記ＯＮＵからのＰＬＯＡＭ応答メッセージから取得したパスワードに基づいて、当該ＯＮＵに対してサービス提供を開始するかどうかを判定し、さらに、加入者およびサービス内容を特定し、特定したサービス内容に基づいて、帯域設定およびコネクション設定うちの少なくとも一方を行う
ことを特徴とするＰＯＮシステムにおける加入者側装置接続方法。
【請求項３】
ＰＯＮシステムにおいて光伝送路を介して複数の加入者側装置を接続する局側装置であって、
新たな加入者側装置の前記光伝送路への接続を検出すると、当該新規接続の加入者側装置から取得した個体番号に基づいて当該新規接続の加入者側装置を運用状態とするレンジングプロセスを実行し、さらに、前記レンジングプロセス後の当該新規接続の加入者側装置に対して、加入者確認のためのパスワードを問い合わせるＰＬＯＡＭメッセージを発行し、当該新規接続の加入者側装置よりパスワードメッセージとしてＰＬＯＡＭ応答メッセージを取得する手段と、
前記取得したパスワードに基づいて、前記新規接続の加入者側装置に対してサービス提供を開始するかどうかを判定し、さらに当該新規接続の加入者が契約しているサービス内容を特定し、特定したサービス内容に基づいて、帯域設定およびコネクション設定のうち少なくとも一方を行う手段と、
を備えることを特徴とする局側装置。
【請求項４】
ＰＯＮシステムにおいて光伝送路を介して局側装置に接続する加入者側装置であって、
個体番号を保持する手段と、
加入者確認のためのパスワードを保持する手段と、
局側装置のレンジングプロセスにおいて前記光伝送路を介して自装置の前記個体番号を送信し、前記レンジングプロセス後に前記局側装置からパスワードを問い合わせるＰＬＯＡＭメッセージを受信すると、パスワードメッセージとしてＰＬＯＡＭ応答メッセージを返送し、当該パスワードに基づいて、契約サービス内容の特定と、特定した契約サービス内容に基づいて帯域設定およびコネクション設定のうち少なくとも一方と、を行わせる物理レイヤ終端手段と、
を備えることを特徴とする加入者側装置。
【発明の詳細な説明】
【技術分野】
【０００１】
この発明は、局側装置と複数の加入者側装置とが光伝送路を介して１対Ｎの通信を行う受動光ネットワーク（Passive  Optical  Network：以降「ＰＯＮシステム」と記す）および加入者側装置接続方法に関するものである。
【背景技術】
【０００２】
ＰＯＮシステムとしては、従来、例えば非特許文献１に規定されたものが知られている。以下、図１〜図５を参照して、非特許文献１に規定される従来のＰＯＮシステムのうちこの発明に関わる部分についてその概要を説明する。
【０００３】
図１は、従来のＰＯＮシステムの構成例を示すブロック図である。図１に示すＰＯＮシステムは、局側装置（Optical  Line  Termination：以降、「ＯＬＴ」と記す）１００に対し、複数の加入者側装置（Optical  Network  Unit：以降、「ＯＮＵ」と記す）１２０が光伝送路１３０を介して接続される構成である。そして、ＯＬＴ１００には、通信事業者が操作するオペレーションシステム（Operations  System：以降「ＯｐＳ」と記す）１４０が接続されている。
【０００４】
光伝送路１３０は、一端がＯＬＴ１００に接続される一つの幹線光ファイバ１３１と、一端が複数のＯＮＵ１２０にそれぞれ接続される複数の支線光ファイバ１３２と、幹線光ファイバ１３１の他端と複数の支線光ファイバ１３２の他端とを接続する光分岐結合器であるスプリッタ１３３とで構成されている。
【０００５】
ＯＬＴ１００は、ＯＬＴ側の物理レイヤを終端する物理レイヤ終端機能部１０１と、物理レイヤ終端機能部１０１と外部の各種サービスノードとの接続を行うサービスノードインタフェース機能部１０２と、ＯＬＴの動作パラメータを保持するデータベース１０３と、以上の各部を監視制御してＯＬＴ内の各種設定を行う監視制御機能部１０４とを備えている。
【０００６】
ＯＮＵ１２０は、ＯＮＵ側の物理レイヤを終端する物理レイヤ終端機能部１２１と、図示しない端末と物理レイヤ終端機能部１２１との接続を行うユーザインタフェース機能部１２２と、物理レイヤ終端機能部１２１を監視制御してＯＮＵ内の各種設定を行う監視制御機能部１２３と、ＯＮＵ製造時に付与される個体番号（シリアル番号）を保持し物理レイヤ終端機能部１２１の利用に供する個体番号保持部１２４とを備えている。
【０００７】
次に、図２は、ＯＬＴとＯＮＵとの間で行われる通信形態を説明する概念図である。図２では、加入者Ａ，加入者Ｂ，加入者Ｃの３台のＯＮＵ１２０ａ、１２０ｂ、１２０ｃがＯＬＴ１００と通信する場合が示されている。図２（ａ）は、ＯＬＴがＯＮＵに対して送信する下り信号の形態を示している。図２（ｂ）は、ＯＮＵがＯＬＴに対して送信する上り信号の形態を示している。
【０００８】
図２（ａ）に示すように、ＯＬＴ１００が３台のＯＮＵ１２０ａ、１２０ｂ、１２０ｃ宛に送信する下り信号ＡＢＣは、幹線光ファイバ１３１から各支線光ファイバ１３２に同報で伝達される。３台のＯＮＵ１２０ａ、１２０ｂ、１２０ｃは、受信した下り信号ＡＢＣの中から自ＯＮＵ宛の信号を取り込むようになっている。
【０００９】
図２（ｂ）に示すように、３台のＯＮＵ１２０ａ、１２０ｂ、１２０ｃは、支線光ファイバ１３２に送出した上り信号が幹線光ファイバ１３１上で時分割多重されるようなタイミング関係で上り信号を支線光ファイバ１３２に送出する。これは、ＯＬＴ１００が各ＯＮＵの識別情報を使用して各ＯＮＵの上り信号が衝突しないように各ＯＮＵの上り信号送信時間をスケジューリングし、下り制御信号を用いて各ＯＮＵに上り信号が衝突しない送信タイミングを通知することにより実現される（図３参照）。
【００１０】
図３は、ＯＬＴが行う上り信号の送信タイミング制御を説明する図である。図３において、ＯＬＴは、３台のＯＮＵに識別情報“０１”“０２”“０３”をそれぞれ割り当てて上り信号送信時間をスケジューリングし、下り制御信号である送信許可信号３０１によって、ＯＮＵ＿０１にはタイムスロットＴ１を指定し、ＯＮＵ＿０２にはタイムスロットＴ２を指定し、ＯＮＵ＿０３にはタイムスロットＴ３を指定する。その結果、ＯＬＴへの上り信号は、衝突することなく、時分割多重される。
【００１１】
図３の説明から理解できるように、ＰＯＮシステムに新規にＯＮＵを接続するときは、ＯＬＴはその新規接続のＯＮＵに識別情報を付与する必要がある。このとき、同時に複数のＯＮＵがＰＯＮシステムに接続される可能性もある。したがって、ＯＬＴでは、ＯＮＵ毎に識別情報の付与が行える機構が必要である。これは、ＯＮＵ製造時に一意の個体番号を付与するので、ＯＬＴは、後述する２つの方法（図４と図５を参照）で個体番号を取得してデータベース１０３に登録し、その登録した個体番号を指定することにより各ＯＮＵに識別情報を付与することで実現することができる。
【００１２】
次に、図４と図５を参照して、ＯＬＴ１００のデータベース１０３にＯＮＵの個体番号を登録する方法を説明する。図４は、ＯｐＳ１４０を用いてオペレータ（通信事業者）がＯＬＴ１００にＯＮＵの個体番号を登録する方法を説明する図である。この方法では、オペレータはＯＬＴ１００に接続されるＯＮＵの個体番号を予め知っていることが前提になっている。
【００１３】
図４（ａ）では、個体番号「Ｓ／Ｎ＝００８００００２」を持つＯＮＵ１２０ｄと、個体番号「Ｓ／Ｎ＝０００００５０１」を持つ１２０ｅとが新規に設置されるとしている。
図４（ｂ）では、ＯｐＳ１４０を用いてオペレータがＯＬＴ１００に２台のＯＮＵ１２０ｄ，１２０ｅの個体番号「Ｓ／Ｎ」を入力する。ＯＬＴ１００では、監視制御機能部１０４が識別情報“０１”“０２”を割り当ててデータベース１０３に保持する。データベース１０３には「ＯＮＵ＿０１：Ｓ／Ｎ＝０００００５０１」と「ＯＮＵ＿０２：Ｓ／Ｎ＝００８００００２」が保持される。
【００１４】
図４（ｃ）では、ＯＬＴの監視制御部１０４は、物理レイヤ終端機能部１０１にデータベース１０３から読み出した個体番号を設定する。物理レイヤ終端機能部１０１は、設定された個体番号を持つＯＮＵに対する識別情報付与が完了するまで周期的に識別情報付与手順を繰り返す。ＯＮＵ１２０ｄ，１２０ｅでは、物理レイヤ終端機能部１２１が、個体番号保持部１２４に保持されているＯＮＵ製造時に付与された個体番号（Ｓ／Ｎ＝００８００００２、Ｓ／Ｎ＝０００００５０１）とＯＬＴ１００が行う識別情報付与手順で指定した個体番号とが一致した場合にのみ反応する。これによって、ＯＮＵ１２０ｄには、識別情報ＯＮＵ＿０２が付与され、ＯＮＵ１２０ｅには、識別情報ＯＮＵ＿０１が付与される。
【００１５】
図５は、ＯＬＴ１００が自律的にＯＮＵの個体番号を取得する方法を説明する図である。この方法では、オペレータはＯＬＴ１００に接続されるＯＮＵの個体番号を予め知っている必要がない。
【００１６】
図５（ａ）では、個体番号「Ｓ／Ｎ＝０００００５０１」を持つＯＮＵ１２０ｆと、個体番号「Ｓ／Ｎ＝００８００００２」を持つ１２０ｇとが新規に設置されるとしている。
【００１７】
図５（ｂ）では、ＯＬＴ１００の物理レイヤ終端機能１０１が、周期的に、あるいはＯｐＳ１４０からのオペレータ操作による指示に従って、識別情報が付与されていないＯＮＵ１２０ｆ，１２０ｇに対し自個体番号を通知する上りメッセージの送信を許可する。ＯＬＴ１００から送信を許可されたＯＮＵ１２０ｆ，１２０ｇでは、物理レイヤ終端機能２０１が、個体番号保持部１２４に保持されているＯＮＵ製造時に付与された個体番号（Ｓ／Ｎ＝０００００５０１、Ｓ／Ｎ＝００８００００２）を送信する。ＯＬＴ１００では、ＯＮＵ１２０ｆ，１２０ｇの個体番号（Ｓ／Ｎ＝０００００５０１、Ｓ／Ｎ＝０００８０００２）を含む上りメッセージを受信すると、監視制御機能部１０４がデータベース１０３に取り込む。
【００１８】
図５（ｃ）では、ＯＬＴの監視制御部１０４は、データベース１０３に取り込んだＯＮＵ１２０ｆ，１２０ｇの個体番号（Ｓ／Ｎ＝０００００５０１、Ｓ／Ｎ＝０００８０００２）に識別情報“０１”“０２”を割り当てる。その結果、データベース１０３には、「ＯＮＵ＿０１：Ｓ／Ｎ＝０００００５０１」と「ＯＮＵ＿０２：Ｓ／Ｎ＝００８００００２」が保持される。そして、監視制御部１０４は、物理レイヤ終端機能部１０１にデータベース１０３から読み出した個体番号を設定する。以降、図４（ｃ）と同様の識別情報付与手順が実施され、ＯＮＵ１２０ｆには、識別情報ＯＮＵ＿０１が付与され、ＯＮＵ１２０ｇには、識別情報ＯＮＵ＿０２が付与される。
【００１９】
ここで、ＰＯＮシステムでは、ＯＬＴは、各ＯＮＵに対して、各ＯＮＵが送信許可信号を受けて上りデータ送信を行うまでの遅延時間を設定している。これは、ＯＬＴからＯＮＵまでの距離によってＯＮＵの反応時間が異なるので、各ＯＮＵ個別に遅延時間を設定することでその反応時間を一定値に揃え、ＯＬＴ受信端では上り信号を隙間なく多重するためである。
【００２０】
そして、前述の識別情報付与手順と上記の遅延時間設定とを含めて「レンジングプロセス」と呼び、このレンジングプロセスが完了したＯＮＵの状態を「運用状態」と定義している。また、オペレータ（通信事業者）がＯｐＳからＯＬＴにＯＮＵの個体番号を登録する図４に示めす方法を「レンジング方法Ａ」と定義し、ＯＬＴが自律的にＯＮＵの個体番号を取得する図５に示めす方法を「レンジング方法Ｂ」と定義している。
【先行技術文献】
【非特許文献】
【００２１】
【非特許文献１】ＩＴＵ−Ｔ勧告Ｇ．９８３．１(SERIES  G:TRANSMISSION  SYSTEMS  AND  MEDIA,DIGITAL  SYSTEMS  AND  NETWORKS)  Digital  transmission  systems−Digital  section  and  digital  line  system−Optical  line  systems  for  local  and  access  Broadband  optical  access  based  on  Passive  Optical  Networks(PON)
【発明の概要】
【発明が解決しようとする課題】
【００２２】
ところで、加入者に通信サービスを提供するためには、各加入者との契約に基づいた帯域、接続先等の各種設定が必要となる。また、契約が完了していない、あるいは料金が未払いである加入者についてはサービスを提供しないようにする必要もある。したがって、ＯＬＴでは、ＯＮＵの個体番号だけでなく、そのＯＮＵを使用する加入者に関する情報も管理する必要がある。
【００２３】
レンジング方法Ａでは、契約に基づく加入者宅へのＯＮＵ設置（図４（ａ））とＯＬＴへの個体番号（Ｓ／Ｎ）登録（図４（ｂ））とは連携して行われるので、オペレータ（通信事業者）は、加入者とＯＮＵ個体番号との対応を把握している。つまり、ＯＬＴのデータベースにＯＮＵ個体番号と加入者との対応、契約したサービス内容を設定することができる。したがって、ＯＬＴは、登録されているＯＮＵに対するレンジングプロセス完了後に、直ちに契約内容に応じたサービスを開始することができる。
【００２４】
一方、レンジング方法Ｂでは、図５にて説明したように、オペレータ（通信事業者）がＯＬＴに接続したＯＮＵの個体番号を知らなくても、ＯＮＵを運用状態にすることができるが、ＯＬＴのデータベースには、契約したサービス内容のみが設定されることになる。したがって、ＯＬＴは、取得した個体番号がどの加入者に属するかを特定することができないので、契約済み加入者かどうかの判定や契約されたサービス内容の特定ができず、加入者のＯＮＵ接続後に直ちにサービスを開始することができないという問題がある。
【００２５】
このような理由から従来のＰＯＮシステムでは、レンジング方法Ａが採用されていたが、近年、加入者が量販店等からＯＮＵを購入し独自にＯＬＴに接続するような環境（以降「端末開放環境」という）に対応できるようにすべきとの要請が高まっている。この要請に対してレンジング方法Ａでは、通信事業者が宅内装置であるＯＮＵを管理しなければならないので、端末開放環境には対応できないという問題がある。
【００２６】
したがって、端末開放環境に対応できるレンジング方法Ｂを実施できるＰＯＮシステムの構築が必要となるが、端末開放環境下においてＯＬＴが加入者をどのようにして特定できるようにするかが問題である。
【００２７】
この発明は、上記に鑑みてなされたものであり、端末開放環境下において、加入者が購入して設置したＯＮＵについて自律的なレンジングを実施して直ちにサービスの開始が行えるＰＯＮシステムおよび加入者側装置接続方法を得ることを目的とする。
【課題を解決するための手段】
【００２８】
上述した課題を解決し、目的を達成するために、本発明は、局側装置に対し光伝送路を介して複数のＯＮＵ（Ｏｐｔｉｃａｌ  Ｎｅｔｗｏｒｋ  Ｕｎｉｔ）がそれぞれ接続されるＰＯＮシステムにおいて、新たなＯＮＵの接続を検出すると、当該新規接続のＯＮＵから取得した個体番号に基づいて当該新規接続のＯＮＵを運用状態とするレンジングプロセスを実行し、さらに、運用状態となった当該新規接続のＯＮＵに対して、加入者確認のためのパスワードを問い合わせるＰＬＯＡＭメッセージを発行し、当該新規接続のＯＮＵよりパスワードメッセージとしてＰＬＯＡＭ応答メッセージを取得する手段、および前記ＰＬＯＡＭ応答メッセージのパスワードに基づいて、前記新規接続のＯＮＵに対してサービス提供を開始するかどうかを判定し、さらに当該新規接続のＯＮＵに対応するサービス内容を特定し、特定したサービス内容に基づいて、帯域設定およびコネクション設定のうち少なくとも一方を行う手段、を備えた局側装置と、前記局側装置から前記ＰＬＯＡＭメッセージを受信すると、前記パスワードメッセージとしてＰＬＯＡＭ応答メッセージを返送する手段、を備えたＯＮＵと、を備えたことを特徴とする。
また、次の発明は、局側装置に対し光伝送路を介して複数のＯＮＵ（Ｏｐｔｉｃａｌ  Ｎｅｔｗｏｒｋ  Ｕｎｉｔ）がそれぞれ接続されるＰＯＮシステムの加入者側装置接続方法において、前記局側装置は、新たなＯＮＵの接続を検出したとき、当該新規接続のＯＮＵについてのレンジングプロセスを実行し、さらに、当該新規接続のＯＮＵに対してパスワードを問い合わせるＰＬＯＡＭメッセージを発行し、前記新規接続のＯＮＵは、前記局側装置からのＰＬＯＡＭメッセージを受けてパスワードを通知するＰＬＯＡＭ応答メッセージを発行し、前記局側装置は、前記ＯＮＵからのＰＬＯＡＭ応答メッセージから取得したパスワードに基づいて、当該ＯＮＵに対してサービス提供を開始するかどうかを判定し、さらに、加入者およびサービス内容を特定し、特定したサービス内容に基づいて、帯域設定およびコネクション設定うちの少なくとも一方を行うことを特徴とする。
また、次の発明は、ＰＯＮシステムにおいて光伝送路を介して複数の加入者側装置を接続する局側装置であって、新たな加入者側装置の前記光伝送路への接続を検出すると、当該新規接続の加入者側装置から取得した個体番号に基づいて当該新規接続の加入者側装置を運用状態とするレンジングプロセスを実行し、さらに、前記レンジングプロセス後の当該新規接続の加入者側装置に対して、加入者確認のためのパスワードを問い合わせるＰＬＯＡＭメッセージを発行し、当該新規接続の加入者側装置よりパスワードメッセージとしてＰＬＯＡＭ応答メッセージを取得する手段と、前記取得したパスワードに基づいて、前記新規接続の加入者側装置に対してサービス提供を開始するかどうかを判定し、さらに当該新規接続の加入者が契約しているサービス内容を特定し、特定したサービス内容に基づいて、帯域設定およびコネクション設定のうち少なくとも一方を行う手段と、を備えることを特徴とする。
また、次の発明は、ＰＯＮシステムにおいて光伝送路を介して局側装置に接続する加入者側装置であって、個体番号を保持する手段と、加入者確認のためのパスワードを保持する手段と、局側装置のレンジングプロセスにおいて前記光伝送路を介して自装置の前記個体番号を送信し、前記レンジングプロセス後に前記局側装置からパスワードを問い合わせるＰＬＯＡＭメッセージを受信すると、パスワードメッセージとしてＰＬＯＡＭ応答メッセージを返送し、当該パスワードに基づいて、契約サービス内容の特定と、特定した契約サービス内容に基づいて帯域設定およびコネクション設定のうち少なくとも一方と、を行わせる物理レイヤ終端手段と、を備えることを特徴とする。
【発明の効果】
【００２９】
この発明によれば、局側装置は、つまりＰＯＮシステムでは、端末開放環境下において加入者が購入して設置した加入者側装置について自律的なレンジングを実施して直ちにサービスの開始が行えるプラグアンドプレイ機能を実現することができる。
【図面の簡単な説明】
【００３０】
【図１】図１は、従来のＰＯＮシステムの構成例を示すブロック図である。
【図２】図２は、図１に示すＯＬＴとＯＮＵとの間で行われる通信形態を説明する概念図である。
【図３】図３は、図１に示すＯＬＴが行う上り信号の送信タイミング制御を説明する図である。
【図４】図４は、図１に示すＯｐＳを用いてオペレータ（通信事業者）がＯＬＴにＯＮＵの個体番号を登録する方法を説明する図である。
【図５】図５は、図１に示すＯＬＴが自律的にＯＮＵの個体番号を取得する方法を説明する図である。
【図６】図６は、この発明の実施の形態１であるＰＯＮシステムの構成を示すブロック図である。
【図７】図７は、図６に示すＰＯＮシステムにて実施される加入者側装置の接続手順を説明するシーケンス図である。
【図８】図８は、この発明の実施の形態２であるＰＯＮシステムの構成を示すブロック図である。
【図９】図９は、図８に示すＰＯＮシステムにて実施される加入者側装置の接続手順を説明するシーケンス図である。
【発明を実施するための形態】
【００３１】
以下に、本発明にかかるＰＯＮシステムおよび加入者側装置接続方法の実施の形態を図面に基づいて詳細に説明する。なお、この実施の形態によりこの発明が限定されるものではない。
【００３２】
実施の形態１．
図６は、この発明の実施の形態１であるＰＯＮシステムの構成を示すブロック図である。図６に示すＰＯＮシステムは、局側装置（Optical  Line  Termination：以降、「ＯＬＴ」と記す）６００に対し、複数の加入者側装置（Optical  Network  Unit：以降、「ＯＮＵ」と記す）６２０が光伝送路６３０を介して接続される構成である。そして、ＯＬＴ６００には、通信事業者が操作するオペレーションシステム（Operations  System：以降「ＯｐＳ」と記す）６４０が接続されている。
【００３３】
光伝送路６３０は、一端がＯＬＴ６００に接続される一つの幹線光ファイバ６３１と、一端が複数のＯＮＵ６２０にそれぞれ接続される複数の支線光ファイバ６３２と、幹線光ファイバ６３１の他端と複数の支線光ファイバ６３２の他端とを接続する光分岐結合器であるスプリッタ６３３とで構成されている。
【００３４】
ＯＬＴ６００は、ＯＬＴ側の物理レイヤを終端する物理レイヤ終端機能部６０１と、物理レイヤ終端機能部６０１と外部の各種サービスノードとの接続を行うサービスノードインタフェース機能部６０２と、ＯＬＴの動作パラメータを保持するデータベース６０３と、以上の各部を監視制御してＯＬＴ内の各種設定を行う監視制御機能部６０４とを備えている。
【００３５】
ＯＮＵ６２０は、ＯＮＵ側の物理レイヤを終端する物理レイヤ終端機能部６２１と、図示しない端末と物理レイヤ終端機能部６２１との接続を行うユーザインタフェース機能部６２２と、物理レイヤ終端機能部６２１を監視制御してＯＮＵ内の各種設定を行う監視制御機能部６２３と、ＯＮＵ製造時に付与される個体番号（シリアル番号）を保持し物理レイヤ終端機能部６２１の利用に供する個体番号保持部６２４と、加入者が設定したパスワードを保持し物理レイヤ終端機能部６２１の利用に供するパスワード保持機能部６２５とを備えている。
【００３６】
この実施の形態１では、端末開放環境下において新規加入者を特定し直ちにサービスを開始するプラグアンドプレイ機能を実現する方法の一例として、物理レイヤの制御メッセージであるＰＬＯＡＭ（Physical  Layer  Operation  and  Maintenance）メッセージを用いる場合が示されている。
【００３７】
以下、図７を参照して、図６に示すＰＯＮシステムにて実現されるプラグアンドプレイ機能について説明する。なお、図７は、図６に示すＰＯＮシステムにて実施される加入者側装置の接続手順を説明するシーケンス図である。
【００３８】
図７において、手順Ｔ１では、加入者７０１と通信事業者７０２が契約し、通信事業者７０２が加入者７０１に対して１０バイト以内のパスワードを発行する。
【００３９】
手順Ｔ２では、通信事業者７０２は、ＯｐＳ６４０を操作して、加入者７０１に発行したパスワードと契約したサービス接続先、割当帯域などのサービス内容とをＯＬＴ６００のデータベース６０３に設定する。
【００４０】
手順Ｔ３と手順Ｔ４では、加入者７０１は、通信事業者７０２が発行した１０バイト以内のパスワードを購入したＯＮＵ６２０のパスワード保持機能部６２５に入力し、その購入したＯＮＵ６２０を加入者線（支線光ファイバ６３２）に接続する。
【００４１】
手順Ｔ５では、ＯＬＴ６００は、レンジング方法Ｂによるレンジングプロセスを実施する際に、新規ＯＮＵの接続有無を監視し、新たなＯＮＵ６２０の接続を検出すると、その新規接続のＯＮＵ６２０から個体番号を取得し、識別情報を付与し、また遅延時間を設定し、ＯＮＵ６２０を運用状態にする。
【００４２】
手順Ｔ６では、ＯＬＴ６００は、次いで、運用状態にしたＯＮＵ６２０に対してパスワードを問い合わせる制御メッセージ（ＰＬＯＡＭメッセージ）であるＲｅｑｕｅｓｔ＿ｐａｓｓｗｏｒｄメッセージを送信する。
【００４３】
手順Ｔ７では、ＯＮＵ６２０は、Ｒｅｑｕｅｓｔ＿ｐａｓｓｗｏｒｄメッセージを受けて、ＰＬＯＡＭメッセージに定義された応答メッセージであるパスワード（Ｐａｓｓｗｏｒｄ）メッセージに手順Ｔ３にて設定したパスワードを含めて通知する。
【００４４】
手順８では、ＯＬＴ６００は、受け取ったＰａｓｓｗｏｒｄメッセージからパスワードを取り出し、そのパスワードを検索キーとしてデータベース６０３を検索する。
【００４５】
手順Ｔ９では、ＯＬＴ６００は、データベース６０３に一致するパスワードが存する場合は、データベース６０３に設定されているサービス内容を取り出し、該当ＯＮＵ６２０に対するコネクション設定、割当帯域設定を行う。これによって、新規接続のＯＮＵ６２０を使用する加入者に対して、接続後直ちにサービスを開始することができる。
【００４６】
なお、データベース６０３に一致するパスワードがない場合には、未契約の加入者ということになるので、この場合には、ＯＬＴ６００は、該当ＯＮＵにはサービスを提供しないようにし、不正な使用を防ぐようにしている。
【００４７】
このように、実施の形態１によれば、ＯＬＴが自律的にレンジングを完了したＯＮＵに対して、パスワードを用いて加入者を特定するので、契約完了した加入者が量販店で購入したＯＮＵをネットワークに接続後直ちにサービス開始することができる。すなわち、端末開放環境下においてＰＯＮシステムに要求されるプラグアンドプレイ機能を実現することができる。
【００４８】
実施の形態２．
図８は、この発明の実施の形態２であるＰＯＮシステムの構成を示すブロック図である。なお、図８では、図６（実施の形態１）に示した構成要素と同一ないしは同等である構成要素には同一の符号が付されている。ここでは、この実施の形態２に関わる部分を中心に説明する。
【００４９】
すなわち、図８に示すように、この実施の形態２によるＰＯＮシステムでは、図６（実施の形態１）に示した構成において、ＯＮＵ６２０に代えて、ＯＮＵ８２０が設けられている。ＯＮＵ８２０では、ＯＮＵ６２０において、パスワード保持機能部６２５に代えて、加入者が設定する住所、氏名等の加入者情報が保持される加入者情報保持機能部８２５が設けられている。この加入者情報保持機能部８２５は、監視制御機能部６２３に接続されている。
【００５０】
この実施の形態２では、端末開放環境下において新規加入者を特定し直ちにサービスを開始するプラグアンドプレイ機能を実現する方法の他の例として、ＯＬＴ・ＯＮＵ間に設けられる監視制御チャネルの制御メッセージを用いる場合が示されている。
【００５１】
以下、図９を参照して、図８に示すＰＯＮにて実現されるプラグアンドプレイ機能について説明する。なお、図９は、図８に示すＰＯＮシステムにて実施される加入者側装置の接続手順を説明するシーケンス図である。
【００５２】
図９において、手順Ｔ１０では、加入者９０１と通信事業者９０２が契約する。
【００５３】
手順Ｔ１１では、通信事業者９０２は、ＯｐＳ６４０を操作して、加入者９０１の住所、氏名等の加入者情報と、契約したサービス接続先、割当帯域などのサービス内容とをＯＬＴ６００のデータベース６０３に設定する。
【００５４】
手順Ｔ１２と手順Ｔ１３では、加入者９０１は、購入したＯＮＵ８２０の加入者情報保持機能部８２５に住所、氏名等の加入者情報を入力し、その購入したＯＮＵ８２０を加入者線（支線光ファイバ６３２）に接続する。
【００５５】
手順Ｔ１４では、ＯＬＴ６００は、レンジング方法Ｂによるレンジングプロセスを実施する際に、新規ＯＮＵの接続有無を監視し、新たなＯＮＵ８２０の接続を検出すると、その新規接続のＯＮＵ８２０から個体番号を取得し、識別情報を付与し、また遅延時間を設定し、ＯＮＵ８２０を運用状態にする。
【００５６】
手順Ｔ１５では、ＯＬＴ６００は、次いで、運用状態にしたＯＮＵ８２０との間で監視制御チャネルを設定する。
【００５７】
手順Ｔ１６と手順Ｔ１７では、設定した監視制御チャネルによる制御メッセージを用いて、ＯＬＴ６００はＯＮＵ８２０に対して加入者情報を要求し、ＯＮＵ８２０はＯＬＴ６００に対して手順Ｔ１２に設定した加入者情報を通知する。
【００５８】
手順Ｔ１８では、ＯＬＴ６００は、受け取った加入者情報を検索キーとしてデータベース６０３を検索する。
【００５９】
手順Ｔ１９では、ＯＬＴ６００は、データベース６０３に一致する加入者情報が存する場合は、データベース６０３に設定されているサービス内容を取り出し、該当ＯＮＵ８２０に対するコネクション設定、割当帯域設定を行う。これによって、新規接続のＯＮＵ８２０を使用する加入者に対して、接続後直ちにサービスを開始することができる。
【００６０】
なお、データベース６０３に一致する加入者情報がない場合には、未契約の加入者ということになるので、この場合には、実施の形態１と同様に、ＯＬＴ６００は、該当ＯＮＵにはサービスを提供しないようにし、不正な使用を防ぐようにしている。
【００６１】
このように、実施の形態２によれば、ＯＬＴが自律的にレンジングを完了したＯＮＵに対して、加入者情報を用いて加入者を特定するので、契約完了した加入者が量販店で購入したＯＮＵをネットワークに接続後直ちにサービス開始することができる。すなわち、実施の形態１と同様に、端末開放環境下においてＰＯＮシステムに要求されるプラグアンドプレイ機能を実現することができる。
【００６２】
ここで、ＰＬＯＡＭメッセージを使用する加入者特定方法では、使用できる制御メッセージのバイト数に制限があるので、実施の形態１にて説明したように、少ないバイト数で済むパスワードのみを用いることになる。
【００６３】
これに対して、実施の形態２によるＯＬＴ・ＯＮＵ間の監視制御チャネルを使用する方法では、ＯＬＴとＯＮＵの間で交換する情報量に制限がなくなるので、パスワード以外に住所や氏名などより多くの情報をＯＬＴとＯＮＵの間で交換して加入者を特定することができる。
【産業上の利用可能性】
【００６４】
以上のように、本発明にかかるＰＯＮシステムおよび加入者側装置接続方法は、加入者が任意に購入して設置した加入者側装置について自律的なレンジングを実施し、加入者とそのサービス内容の特定が行えるので、端末開放環境下においてＰＯＮシステムに要求されるプラグアンドプレイ機能を実現するのに好適である。
【符号の説明】
【００６５】
１００，６００  局側装置（ＯＬＴ）
１０１，１２１，６０１，６２１  物理レイヤ終端機能部
１０２，６０２  サービスノードインタフェース機能部
１０３，６０３  データベース
１０４，１２３，６０４  監視制御機能部
１２０，１２０ａ，１２０ｂ，１２０ｃ，１２０ｄ，１２０ｅ，１２０ｆ，１２０ｇ，６２０，８２０  加入者側装置（ＯＮＵ）
１２２，６２２  ユーザインタフェース機能部
１２４，６２４  個体番号保持部
１３０，６３０  光伝送路
１３１，６３１  幹線光ファイバ
１３２，６３２  支線光ファイバ
１３３，６３３  スプリッタ
１４０，６４０  オペレーションシステム（ＯｐＳ）
６２５  パスワード保持機能部
８２５  加入者情報保持機能部
【図１】
0004615609.tif 000002
【図２】
0004615609.tif 000003
【図３】
0004615609.tif 000004
【図４】
0004615609.tif 000005
【図５】
0004615609.tif 000006
【図６】
0004615609.tif 000007
【図７】
0004615609.tif 000008
【図８】
0004615609.tif 000009
【図９】
0004615609.tif 000010